(57)【要約】【課題】空気を浄化することのできる空気清浄装置において、送風口からの送風による、本体の吸気口へ流れ込む気流の誘引を抑制することを目的とする。【解決手段】送風口２を覆った可動自在の第１の風向調整手段８と第２の風向調整手段９とを備え、第１の風向調整手段８は、本体ケース３における前面側に位置すると共に、水平面から仰角方向へ第１の角度で本体ケース３における前面側へ送風するように風向を変化させ、第２の風向調整手段９は、本体ケース３における背面側に位置すると共に、水平面から仰角方向へ第２の角度で本体ケースにおける前面側へ送風するように風向を変化させ、第１の角度は、０°より大きく、４５°より小さい範囲で、第２の角度は、０°より大きく、９０°より小さい範囲で、第２の角度は、第１の角度より大きいことを特徴とする。【選択図】図２
2014016072.tif 000002
【特許請求の範囲】
【請求項１】
上方に開口する送風口を有する本体ケースと、この本体ケース内に設けた空気清浄手段と、前記送風口に設けた第１の風向調整手段と第２の風向調整手段とを備え、前記第１の風向調整手段は、前記本体ケースにおける前面側に位置すると共に、水平面から仰角方向へ第１の角度で前記本体ケースにおける前面側へ送風するように風向を変化させ、前記第２の風向調整手段は、前記本体ケースにおける背面側に位置すると共に、水平面から仰角方向へ第２の角度で前記本体ケースにおける前面側へ送風するように風向を変化させ、前記第１の角度は、０°より大きく、４５°より小さい範囲で、前記第２の角度は、０°より大きく、９０°より小さい範囲で、前記第２の角度は、前記第１の角度より大きいことを特徴とする空気清浄装置。
【請求項２】
前記第１の風向調整手段は、第１の風向板と、この第１の風向板を前記送風口に軸支する第１の軸支部とから形成し、前記第１の風向板は、前記本体ケースにおける前面側に位置すると共に、前記本体ケースにおける前面側が、水平面から仰角方向へ第１の角度を開口し、前記第２の風向調整手段は、第２の風向板と、この第２の風向板を前記送風口に軸支する第２の軸支部とから形成し、前記第２の風向板は、前記本体ケースにおける背面側に位置すると共に、前記本体ケースにおける前面側が、水平面から仰角方向へ第２の角度を開口することを特徴とする請求項１に記載の空気清浄装置。
【請求項３】
前記送風口と前記本体ケースにおける前面との間には、風向調整部を備え、この風向調整部は、前記本体ケースにおける前面側が、水平面から仰角方向へ第３の角度を傾斜し、この第３の角度は、０°より大きく、前記第１の角度より小さいことを特徴とする請求項１または２に記載の空気清浄装置。
【請求項４】
前記送風口の開口縁部は、前記本体ケースにおける前面側が、水平面から仰角方向へ第３の角度を傾斜することを特徴とする請求項１から３のいずれかに記載の空気清浄装置。
【請求項５】
前記第１の風向調整手段は、前記第１の風向板と、この前記第１の風向板の前記本体ケースにおける左右方向の両端縁から下方へ伸びた壁部と、この壁部に前記第１の軸支部を設け、前記第２の風向板を前記第１の風向板の上方に所定の距離をあけて被さることを特徴とする請求項１から４のいずれかに記載の空気清浄装置。
【請求項６】
前記第１の風向板は、前記第２の風向板よりも前記本体ケースにおける左右方向の長さが長いことを特徴とする請求項１から５のいずれかに記載の空気清浄装置。
【発明の詳細な説明】
【技術分野】
【０００１】
本発明は、空気を浄化することのできる空気清浄装置に関するものである。
【背景技術】
【０００２】
従来のこの種の空気清浄装置の構成は以下のようになっていた。
【０００３】
すなわち、吸気口と送風口を有する本体ケースと、この本体ケース内で、前記吸気口から前記送風口に送風される送風路に空気清浄手段を設けた構成となっていた（例えば、特許文献１参照）。
【０００４】
以下、従来の空気清浄装置について説明する。空気調和装置は浄化手段と送風手段と吹出口と１枚の吹出ルーバーと埃センサーからなり、埃センサーより出力される粉塵の粒径の大きさに応じて吹出ルーバーを仰角方向に角度調整する制御部を備えることにより、粉塵をその粒径に適した気流により効果的に空気調和装置に到達させ、部屋の空気を清浄する。
【先行技術文献】
【特許文献】
【０００５】
【特許文献１】特許第４８４０１８１号公報
【発明の概要】
【発明が解決しようとする課題】
【０００６】
上記従来例における課題は、床上での吸気口へ流れ込む吸込気流の風速を増加させると、送風口から吹き出す吹出気流による本体の吸気口へ流れ込む気流の誘引が増加することであった。
【０００７】
送風口からの吹き出し角度が仰角方向へ大きいものに比べると、送風口からの吹き出し角度が仰角方向へ小さいものは、室内での循環気流の渦の中心が下るものである。このように、循環気流の渦の中心が下ることにより、床上での本体の吸気口へ流れ込む気流の垂直方向の高さが小さくなる。これによって、床上での吸気口へ流れ込む気流の風速を増加させることができるものであった。
【０００８】
ところが、吹き出し角度を小さくすると、送風口からの吹き出し気流と床上での本体の吸気口へ流れ込む吸込気流とが近づき、空気清浄装置の吸込み口へ向かう汚れた空気の一部を吹き出し気流が誘引してしまい、空気清浄装置本体に吸込まれる前に室内を再循環してしまう場合があった。
【０００９】
そこで、本発明は、上記従来の課題を解決するものであり、床上での吸気口へ流れ込む気流の風速を増加させると共に、吹き出し気流による吸込み気流の誘引を抑制する空気清浄装置を提供することを目的とする。
【課題を解決するための手段】
【００１０】
そして、この目的を達成するために、本発明は、上方に開口する送風口を有する本体ケースと、この本体ケース内に設けた空気清浄手段と、前記送風口に設けた第１の風向調整手段と第２の風向調整手段とを備え、前記第１の風向調整手段は、前記本体ケースにおける前面側に位置すると共に、水平面から仰角方向へ第１の角度で前記本体ケースにおける前面側へ送風するように風向を変化させ、前記第２の風向調整手段は、前記本体ケースにおける背面側に位置すると共に、水平面から仰角方向へ第２の角度で前記本体ケースにおける前面側へ送風するように風向を変化させ、前記第１の角度は、０°より大きく、４５°より小さい範囲で、前記第２の角度は、０°より大きく、９０°より小さい範囲で、前記第２の角度は、前記第１の角度より大きいことを特徴としたものであり、これにより所期の目的を達成するものである。
【発明の効果】
【００１１】
本発明によれば、上方に開口する送風口を有する本体ケースと、この本体ケース内に設けた空気清浄手段と、前記送風口に設けた第１の風向調整手段と第２の風向調整手段とを備え、前記第１の風向調整手段は、前記本体ケースにおける前面側に位置すると共に、水平面から仰角方向へ第１の角度で前記本体ケースにおける前面側へ送風するように風向を変化させ、前記第２の風向調整手段は、前記本体ケースにおける背面側に位置すると共に、水平面から仰角方向へ第２の角度で前記本体ケースにおける前面側へ送風するように風向を変化させ、前記第１の角度は、０°より大きく、４５°より小さい範囲で、前記第２の角度は、０°より大きく、９０°より小さい範囲で、前記第２の角度は、前記第１の角度より大きいという構成にしたものである。
【００１２】
これにより、第２の風向調整手段は、第１の風向調整手段よりも上方を向いて送風されているものの、第１の風向調整手段によって風向を変更されて出る風は、水平面から仰角方向へ０°より大きく、４５°より小さい範囲で送風されるため、部屋全体を循環する気流の渦が、水平面から仰角方向へ４５°よりも大きく送風される場合の渦よりも下方になり、床上での本体の吸気口へ流れ込む気流の垂直方向の高さが小さくなる。これによって、床上での吸気口へ流れ込む気流の風速を増加させることができる。
【００１３】
ここで、第２の角度は、０°より大きく、９０°より小さい範囲なので、部屋全体を循環すると共に、第２の角度は、第１の角度より大きいので、第２の風向調整手段は、第１の風向調整手段よりも上方を向いて送風されることで、送風口２からの吹き出す風を分散させ、第１の風向調整手段から出る風の風速を抑えるので、空気清浄装置付近での吸込まれる空気を吹き出し気流により誘引して再循環させることを抑制できる。
【００１４】
結果として、床上での吸気口へ流れ込む気流の風速を増加させると共に、吹き出し気流による吸気口へ流れ込む気流の誘引を抑制することができるのである。
【図面の簡単な説明】
【００１５】
【図１】本発明の実施の形態１の空気清浄装置の斜視図
【図２】同空気清浄装置の概略縦断面を示す図
【図３】同空気清浄装置の第１の風向調整手段および第２の風向調整手段を示す概略図
【図４】本発明の実施の形態２の空気清浄装置の斜視図
【図５】本発明の実施の形態３の空気清浄装置の斜視図
【図６】本発明の実施の形態４の空気清浄装置の斜視図
【発明を実施するための形態】
【００１６】
本発明の請求項１記載の空気清浄装置は、上方に開口する送風口を有する本体ケースと、この本体ケース内に設けた空気清浄手段と、前記送風口に設けた第１の風向調整手段と第２の風向調整手段とを備え、前記第１の風向調整手段は、第１の風向板と、この第１の風向板を前記送風口に軸支する第１の軸部とから形成し、前記第１の風向板は、前記本体ケースにおける前面側に位置すると共に、前記本体ケースにおける前面側が、水平面から仰角方向へ第１の角度を開口し、前記第２の風向調整手段は、第２の風向板と、この第２の風向板を前記送風口に軸支する第２の軸部とから形成し、前記第２の風向板は、前記本体ケースにおける背面側に位置すると共に、前記本体ケースにおける前面側が、水平面から仰角方向へ第２の角度を開口し、前記第１の角度は、０°より大きく、４５°より小さい範囲で、前記第２の角度は、０°より大きく、９０°より小さい範囲で、前記第２の角度は、前記第１の角度より大きいことを特徴とするという構成を有する。
【００１７】
これにより、第２の風向調整手段は、第１の風向調整手段よりも上方を向いて送風されているものの、第１の風向調整手段によって風向を変更されて出る風は、水平面から仰角方向へ０°より大きく、４５°より小さい範囲で送風されるため、部屋全体を循環する気流の渦が、水平面から仰角方向へ４５°よりも大きく送風される場合の渦よりも下方になり、第２の風向調整手段は、第１の風向調整手段よりも上方を向いて送風されることで、吹き出す風を分散させ、第１の風向調整手段から出る風の風速を抑えるようになるので、第１の風向調整手段から出た風により部屋を循環する渦が下方に下がることで、床上３０ｃｍの空間での空気清浄装置の吸込みスピードが速くなり、かつ吹き出す風を第２の風向調整手段により第１の風向調整手段から出る風よりも上方に分散させることで、空気清浄装置付近での吸込まれる空気を吹き出し気流により誘引して再循環させることを防ぎながら空気清浄ができる、という効果を奏する。
【００１８】
また、前記送風口と前記本体ケースにおける前面との間には、風向調整部を備え、この風向調整部は、前記本体ケースにおける前面側が、水平面から仰角方向へ第３の角度を傾斜し、この第３の角度は、０°より大きく、前記第１の角度より小さいことを特徴とするという構成にしてもよい。これにより、風向調整部が第３の角度を成す事で、第１の風向調整手段から出る風が吹き出す際に、風向調整部により第３の角度以上で吹き出すために、第３の角度が０°である場合に比べ、吸込み気流により影響しにくくなり、吸込まれる空気をより再循環させづらくなるという効果を奏する。
【００１９】
また、前記送風口の開口縁部は、前記本体ケースにおける前面側が、水平面から仰角方向へ第４の角度を傾斜し、この第４の角度は、前記第３の角度と同じであることという構成にしてもよい。これにより、風向調整部が第３の角度を成す事で、吸込み口のある面と送風口のある面との角度が９０°よりも大きくなるので、第１の風向調整手段から出る風が吹き出す際に、風向調整部により第３の角度以上で吹き出すために、第３の角度が０°である場合に比べ、吸込み気流により影響しにくくなり、吸込まれる空気をより再循環させづらくなるという効果を奏する。
【００２０】
また、第１の軸部を上方へ所定の距離を有するとともに、第１の風向板の左右に、本体ケースと第１の風向板の左右の縁をつなぐ壁を設け、第１の風向調整手段をトンネルのようなコの字形にして、第２の風向板を第１の風向板の上方に距離をあけて被さるようにしても良い。これにより、第２の風向板から出る風のうち、前方へ吹き出す風の抵抗が増えるので、第２の風向板から出る風の一部が左右へ漏れることとなり、空気清浄装置の左右でのよどみを防ぎ、空気清浄装置の左右に埃が溜まることを防ぐという効果を奏する。
【００２１】
また、前記第１の風向板は、前記第２の風向板よりも前記本体ケースにおける左右方向の長さが長いことを特徴という構成にしてもよい。これにより、空気清浄装置の後方の左右へ風が漏れることとなるので、空気清浄装置の後方の左右へ風を漏らすことで左右でのよどみを防ぎ、空気清浄装置の左右に埃が溜まることを防ぐという効果を奏する。
【００２２】
（実施の形態１）
図１および図２に示すように、本実施形態の空気清浄装置は、吸気口１と送風口２を有する本体ケース３と、この本体ケース３内に設けられた空気清浄手段４と、送風手段５と、制御手段６と、操作部７を備えている。
【００２３】
本体ケース３は、縦長四角箱形状で、本体ケース３の前面の下部に吸気口１を備え、本体ケース３の天面の背面側に横長四角形状の送風口２を設けている。この送風口２には、開閉自在に設けられた第１の風向調整手段８と第２の風向調整手段９とを備えている。
【００２４】
空気清浄手段４は、本体ケース３の吸気口１近傍に設けられ、一例としては、空気清浄フィルタである。プリーツ形状の濾材部（図示せず）と、この濾材部を固定する四角筒形状の枠部（図示せず）とから形成している。この濾材部を空気が通過すると、空気中の粉塵等が捕集されるものである。
【００２５】
送風手段５は、空気清浄手段４と本体ケース３の送風口２との間の風路に位置し、ケーシング部１０と、モーター部１１と、ファン部１２とから形成している。ケーシング部１０は、スクロール形状で、側面に円形状の吸込口１３を備え、上面に横長四角形状の吐出口１４を設けている。このケーシング部１０には、モーター部１１が固定されている。このモーター部１１の軸部１５には、遠心送風タイプのファン部１２が固定されている。モーター部１１によってファン部１２が回転すると、本体ケース３外の空気が、吸気口１から本体ケース３内に吸気され、空気清浄手段４、送風手段５とを順次介して、ファン部１２から上方の送風口２へと送風されるものである。
【００２６】
操作部７は、本体ケース３の天面の送風口２より前面側に位置し、この操作部７の下方には、制御手段６を備えている。
【００２７】
本実施形態における特徴は、第１の風向調整手段８と第２の風向調整手段９とにある。すなわち、第１の風向調整手段８は、本体ケース３における前面側に位置すると共に、水平面から仰角方向へ第１の角度で本体ケース３における前面側へ送風するように風向を変化させ、第２の風向調整手段９は、本体ケース３における背面側に位置すると共に、水平面から仰角方向へ第２の角度で本体ケース３における前面側へ送風するように風向を変化させる。ここで、第１の角度は、０°より大きく、４５°より小さい範囲で、第２の角度は、０°より大きく、９０°より小さい範囲で、第２の角度は、第１の角度より大きい点である。
【００２８】
これにより、第２の風向調整手段９は、第１の風向調整手段８よりも上方を向いて送風されているものの、第１の風向調整手段８によって風向を変更されて出る風は、水平面から仰角方向へ０°より大きく、４５°より小さい範囲で送風されるため、部屋全体を循環する気流の渦が、水平面から仰角方向へ４５°よりも大きく送風される場合の渦よりも下方になり、床上での本体ケース３の吸気口１へ流れ込む気流の垂直方向の高さが小さくなる。これによって、床上での吸気口１へ流れ込む気流の風速を増加させることができる。
【００２９】
ここで、第２の風向調整手段９は、第１の風向調整手段８よりも上方を向いて送風されることで、送風口２からの吹き出す風を分散させ、送風口２からの吹き出し風量を減少させること無く、第１の風向調整手段８から出る風の風速を抑えるので、空気清浄装置付近での吸込まれる空気を吹き出し気流により誘引して再循環させることを抑制できる。
【００３０】
結果として、床上での吸気口１へ流れ込む気流の風速を増加させると共に、吹き出し気流による吸気口へ流れ込む気流の誘引を抑制することができるのである。
【００３１】
また、第１の風向調整手段８によって風向を変更されて出る風は、水平面から仰角方向へ０°より大きく、４５°より小さい範囲で送風されるため、天井に当った場合にも、天井面に対して４５°より小さい範囲で俯角方向へ送風されるので、スムーズに天井を伝い、壁に沿って下方へ風向を変更でき、部屋全体を循環する気流を起こしやすい。
【００３２】
また、吸気口１は、本体ケース３の前面の下部に備え、送風口２は、本体ケース３の天面の背面側に設けている。つまり、吸気口１と送風口２とは、本体ケース３の異なる面に位置するので、吹き出し気流による吸込み気流の誘引を抑制することができるのである。
【００３３】
また、図３に示すように、第１の風向調整手段８は、横長四角形状の平板である第１の風向板１７と、この第１の風向板１７を送風口２に回動自在に軸支する第１の軸支部１８とから形成している。この第１の軸支部１８は、第１の風向板１７の短辺側から外方へ伸びた第１の軸部１９と、送風口２に設けられた水平方向の孔で、この第１の軸部１９が入る第１の軸受部２０とからなる。第１の軸部１９を介して第１の風向板１７を回動させる第１の回動手段２１を備えている。第１の風向板１７は、本体ケース３における前面側に位置すると共に、第１の回動手段２１によって、本体ケース３における前面側が、水平面から仰角方向へ第１の角度を開口する。
【００３４】
第２の風向調整手段９は、横長四角形状の平板である第２の風向板２２と、この第２の風向板２２を送風口２に回動自在に軸支する第２の軸支部２３とから形成している。この第２の軸支部２３は、第２の風向板２２の短辺側から外方へ伸びた第２の軸部２４と、送風口２に設けられた水平方向の孔で、この第２の軸部２４が入る第２の軸受部２５とからなる。第２の軸部２４を介して第２の風向板２２を回動させる第２の回動手段２６を備えている。第２の風向板２２は、本体ケース３における前面側に位置すると共に、第２の回動手段２６によって、本体ケース３における前面側が、水平面から仰角方向へ第２の角度を開口する。なお、第１の風向板１７および第２の風向板２２の本体ケース３における前後方向と、左右方向の寸法は、ほぼ同じである。
【００３５】
（実施の形態２）
図４において、図１から図３と同様の構成要素については同一の符号を付し、その詳細な説明は省略する。本実施の形態は、送風口２と本体ケース３における前面との間、つまり送風口２と操作部７との間には、風向調整部２７を備えている。
【００３６】
風向調整部２７は、本体ケース３における前面側が、水平面から仰角方向へ第３の角度傾斜している傾斜面である。この第３の角度は、０°より大きく、第１の角度より小さいものである。
【００３７】
これにより、風向調整部２７が、水平面から仰角方向へ第３の角度、傾斜しているので、第１の風向調整手段８から出る風が吹き出す際に、風向調整部２７により第３の角度以上で吹き出すために、第３の角度が０°である場合に比べ、吹き出し気流による吸気口へ流れ込む気流の誘引を抑制することができるのである。
【００３８】
また、送風口２の開口縁部２８は、本体ケース３における前面側が、水平面から仰角方向へ第３の角度を傾斜している。すなわち、送風口２の開口縁部２８と風向調整部２７とが、本体ケースにおける前面側が、水平面から仰角方向へ第３の角度傾斜した同一面上に位置するものである。
【００３９】
すなわち、第１の風向調整手段８から出る風が、本体ケース３における左右方向へ広がって吹き出す際にも、開口縁部２８は、本体ケース３における前面側が、水平面から仰角方向へ第３の角度を傾斜しているので、第１の風向調整手段８から出る風が吹き出す際に、風向調整部２７により第３の角度以上で吹き出すために、第３の角度が０°である場合に比べ、吹き出し気流による吸気口へ流れ込む気流の誘引を抑制することができるのである。
【００４０】
（実施の形態３）
図５において、図１から図３と同様の構成要素については同一の符号を付し、その詳細な説明は省略する。本実施の形態の第１の風向調整手段８は、第１の風向板１７ａに壁部２９を備えた点が異なるものである。
【００４１】
第１の風向調整手段８は、第１の風向板１７ａと、この第１の風向板１７ａの本体ケース３における左右方向の両端縁から下方へ伸びた壁部２９と、この壁部２９に第１の軸部１９を設け、第２の風向板２２を第１の風向板１７ａの上方に所定の距離をあけて被さるものである。第１の風向板１７ａの垂直断面形状は、下方が開口したコの字形である。
【００４２】
これにより、第２の風向板２２から出る風のうち、前方へ吹き出す風の抵抗が増えるので、第２の風向板２２から出る風の一部が左右へ漏れることとなり、空気清浄装置の左右でのよどみを防ぎ、空気清浄装置の左右に埃が溜まることを防ぐという効果を奏する。
【００４３】
（実施の形態４）
図６において、図１から図３と同様の構成要素については同一の符号を付し、その詳細な説明は省略する。本実施の形態の第１の風向調整手段８は、第１の風向板１７ｂが異なるものである。
【００４４】
第１の風向板１７ｂは、第２の風向板２２よりも本体ケース３における左右方向の長さが長いものである。
【００４５】
すなわち、第２の風向板２２から出る風のうち左右の端から出る風は、第１の風向板１７ｂの左右に伸びた部分に当たり、左右へ漏れ出ることとなる。
【００４６】
これにより、本体ケース３の後方の左右へ風が漏れることとなるので、本体ケース３の後方の左右へ風を漏らすことで左右でのよどみを防ぎ、本体ケース３の左右に埃が溜まることを防ぐという効果を奏する。
【産業上の利用可能性】
【００４７】
本発明にかかる空気清浄装置は、上方に開口する送風口を有する本体ケースと、この本体ケース内に設けた空気清浄手段と、前記送風口を覆った可動自在の第１の風向調整手段と第２の風向調整手段とを備え、前記第１の風向調整手段は、第１の風向板と、この第１の風向板を前記送風口に軸支する第１の軸部とから形成し、前記第１の風向板は、前記本体ケースにおける前面側に位置すると共に、前記本体ケースにおける前面側が、水平面から仰角方向へ第１の角度を開口し、前記第２の風向調整手段は、第２の風向板と、この第２の風向板を前記送風口に軸支する第２の軸部とから形成し、前記第２の風向板は、前記本体ケースにおける背面側に位置すると共に、前記本体ケースにおける前面側が、水平面から仰角方向へ第２の角度を開口し、前記第１の角度は、０°より大きく、４５°より小さい範囲で、前記第２の角度は、０°より大きく、９０°より小さい範囲で、前記第２の角度は、前記第１の角度より大きいことを特徴とする構成にしたものである。
【００４８】
このような構成にすることにより、第１の風向調整手段から出た風により部屋を循環する渦が下方に下がることで、床上３０ｃｍの空間での空気清浄装置の吸込みスピードが速くなり、かつ吹き出す風を第２の風向調整手段により第１の風向調整手段から出る風よりも上方に分散させることで、空気清浄装置付近での吸込まれる空気を吹き出し気流により誘引して再循環させることを防ぎながら空気清浄ができる。
【００４９】
従って、家庭用や事務用などの、空気清浄装置等としての活用が期待されるものである。
【符号の説明】
【００５０】
１      吸気口
２      送風口
３      本体ケース
４      空気清浄手段
５      送風手段
６      制御手段
７      操作部
８      第１の風向調整手段
９      第２の風向調整手段
１０    ケーシング部
１１    モーター部
１２    ファン部
１３    吸込口
１４    吐出口
１５    軸部
１７    第１の風向板
１７ａ  第１の風向板
１７ｂ  第１の風向板
１８    第１の軸支部
１９    第１の軸部
２０    第１の軸受部
２１    第１の回動手段
２２    第２の風向板
２３    第２の軸支部
２４    第２の軸部
２５    第２の軸受部
２６    第２の回動手段
２７    風向調整部
２８    開口縁部
２９    壁部
【図１】
2014016072.tif 000003
【図２】
2014016072.tif 000004
【図３】
2014016072.tif 000005
【図４】
2014016072.tif 000006
【図５】
2014016072.tif 000007
【図６】
2014016072.tif 000008